(57)【要約】【課題】接点部の形状等によらず確実に静電気の放電路を形成することができる小型で安価な静電対策構造を備えた回路基板を提供する。【解決手段】筐体２の前面パネル２ａに取り付けられた操作ボタン５の機構動作によって開閉するタクトスイッチ９が実装された回路基板６の基板前縁において、操作ボタン５の押ボタン機構部５ｂの左、右の少なくともいずれか一方の近傍の下方部分に前方に突出した突出部７を形成して操作ボタン５からタクトスイッチ９までの距離を長くし、かつ、突出部７に操作ボタン５に接近した接地ピン８を設けて静電気の放電路を形成する。【選択図】図４
2008084574.tif 000002
【特許請求の範囲】
【請求項１】
筐体の前面パネルに取り付けられた操作ボタンの機構動作によって開閉する接点部が実装され、前記操作ボタンの前記筐体内に挿入された機構部の下方に前記前面パネルに近接して設けられた回路基板において、基板前縁の前記機構部の左、右の少なくともいずれか一方の近傍の下方部分に前方に突出した突出部を形成し、前記突出部に前記操作ボタンに接近した線状の放電用接地導体を設けたことを特徴とする回路基板。
【請求項２】
筐体の前面パネルに左右方向に配列して取り付けられた複数個の操作ボタンそれぞれの機構動作によって開閉する複数個の接点部が実装され、前記各操作ボタンの前記筐体内に挿入された機構部の下方に前記前面パネルに近接して設けられた回路基板において、基板前縁の前記各操作ボタンの前記機構部の間それぞれの下方部分に前方に突出した突出部を形成し、前記各突出部に前記各操作ボタンそれぞれに接近した線状の放電用接地導体を設けたことを特徴とする回路基板。
【請求項３】
前記放電用接地導体は、基部を前記突出部の接地ピン穴に挿入した金属製の接地ピンからなることを特徴とする請求項１又は２に記載の回路基板。
【請求項４】
前記放電用接地導体は、少なくとも一端が前記突出部に植設された裸線状のジャンパー線からなることを特徴とする請求項１又は２に記載の回路基板。
【請求項５】
前記接点部はタクトスイッチからなることを特徴とする請求項１乃至４のいずれか１項に記載の回路基板。
【請求項６】
請求項１乃至５のいずれか１項に記載の回路基板を備えたことを特徴とする電子機器。
【発明の詳細な説明】
【技術分野】
【０００１】
本発明は、筐体の前面パネルに取り付けられた操作ボタンの操作によって開閉する接点部が実装された回路基板及び該基板を備えた電子機器に関し、詳しくは、前記操作ボタンを操作したときに発生する静電気から回路基板の各種実装部品を保護する静電対策構造に関する。
【背景技術】
【０００２】
従来、テレビ受信機、ビデオテープレコーダ、ＤＶＤレコーダのようなビデオ機器、ＣＤプレーヤ、カセットテープレコーダのようなオーディオ機器、それらの複合機器等の電子機器は、プラスチック等の合成樹脂の筐体（ケース）を備え、該筐体の前面パネルには少なくとも操作ボタンが取り付けられれる。
【０００３】
具体的には、図１０に示すテレビ受信機とビデオテープレコーダの複合機器１００の場合、合成樹脂製の筐体２００の前面パネル２００ａは中央部にＣＲＴ、液晶パネル、ＰＤＰパネル等の画面表示器３００がはめ込むように取り付けられ、その下部が操作部２００ｂを形成する。
【０００４】
そして、操作部２００ｂは左側にビデオテープカセットの挿入、排出の開口部４００が形成され、該開口部４００は上端が回動自在に軸支されて挿入、排出されるビデオテープカセットによって内側、外側に押し上げられる樹脂製の扉４００ａによって覆われている。
【０００５】
更に、操作部２００ｂの右側には、例えば押ボタン構造の複数個の操作ボタン５００が左右に配列して取り付けられる。各操作ボタン５００は用途に応じて周知のロック式又はノンロック式の押ボタン機構部を備え、その機構部が筐体２００内に挿入される。
【０００６】
そして、各操作ボタン５００をユーザーが押すことにより、それぞれの機構動作で筐体２００内の回路基板に実装された各機能のタクトスイチ等の接点部が押されて開閉し、電源のオン・オフやテープの再生、停止、早送り、巻き戻し等が行なわれる。
【０００７】
ところで、この種の電子機器においては、例えば前記各操作ボタン５００は合成樹脂製であり、ユーザーが触れたときに静電気が発生することがある。
【０００８】
そして、静電気が筐体２００内の金属製のシャーシや回路基板のグランドパターンに放電すれば問題はないが、場合によっては、操作部２００ｂの各操作ボタン５００の開口から各操作ボタン５００の樹脂表面を通って回路基板のそれぞれの接点部に放電することがある。このとき、前記接点部を通って回路基板の各種電子部品等の実装部品に静電気の高電圧が印加され、これらの部品が損傷する虞がある。尚、前記複合機器１００の場合、ビデオテープカセットの挿入時等にも静電気の発生することがあるが、この静電気は金属製のローディング機構等を介してシャーシに放電するので問題は生じない。
【０００９】
そして、前記静電気による回路の損傷を防止するため、操作ボタン５００により開閉するスイッチ（接点部）が実装されたプリント基板（回路基板）の静電対策として、前記スイッチの近傍にアースされたジャンパー線を設け、静電気を、前記ジャンパー線を通して放電することが提案されている（例えば、特許文献１参照。）。
【００１０】
又、同様の静電対策として、プリント基板（回路基板）の各スイッチ（接点部）の間隙に導電性材料の遮蔽板状のグランド部材を立設し、静電気を、グランド部材を通してプリント基板のグランドプレーンに放電することが提案されている（例えば、特許文献２参照。）。
【特許文献１】実開平５−１１２４号公報（要約書、請求項１、図２等）
【特許文献２】特開２００１−２６７０９５号公報（段落［０００９］−［００１５］、図３等）
【発明の開示】
【発明が解決しようとする課題】
【００１１】
前記特許文献１、２の静電対策構造を図１０の複合機器１００のような電子機器に適用した場合、前面パネル２００ａ（詳しくは、その操作部２００ｂ）に回路基板（プリント基板）が近接して設けられ、回路基板の基板前縁部分に接点部としてのスイッチが実装され、その直近にジャンパー線やグランド部材が設けられるため、操作ボタンから、回路基板のスイッチ（接点部）に至る距離と、ジャンパー線やグランド部材に至る距離との差は極めて少なく、静電気が確実にジャンパー線やグランド部材を通って放電するとは限らず、静電気が回路基板のスイッチ（接点部）を通って放電する虞があり、十分な静電対策が講じられない問題がある。
【００１２】
尚、前記特許文献１の静電対策構造の場合、プリント基板のスイッチ（接点部）の形状等によっては、ジャンパー線を最適な基板位置に設けることが困難になる虞もある。又、前記特許文献２の静電対策構造の場合、グランド部材は複雑な形状の板状体であって大型であり、大幅なコストアップを招来すると共に基板の狭いスペースには設置することが困難になる虞もある。
【００１３】
本発明は、接点部の形状等によらず確実に静電気の放電路を形成することができる小型で安価な静電対策構造を備えた回路基板を提供することを目的とし、更に、その静電対策構造を施した電子機器を提供することも目的とする。
【課題を解決するための手段】
【００１４】
上記した目的を達成するために、本発明の回路基板は、筐体の前面パネルに取り付けられた操作ボタンの機構動作によって開閉する接点部が実装され、前記操作ボタンの前記筐体内に挿入された機構部の下方に前記前面パネルに近接して設けられた回路基板において、基板前縁の前記機構部の左、右の少なくともいずれか一方の近傍の下方部分に前方に突出した突出部を形成し、前記突出部に前記操作ボタンに接近した線状の放電用接地導体を設けたことを特徴としている（請求項１）。
【００１５】
又、本発明の回路基板は、筐体の前面パネルに左右方向に配列して取り付けられた複数個の操作ボタンそれぞれの機構動作によって開閉する複数個の接点部が実装され、前記各操作ボタンの前記筐体内に挿入された機構部の下方に前記前面パネルに近接して設けられた回路基板において、基板前縁の前記各操作ボタンの前記機構部の間それぞれの下方部分に前方に突出した突出部を形成し、前記各突出部に前記各操作ボタンそれぞれに接近した線状の放電用接地導体を設けたことを特徴としている。（請求項２）。
【００１６】
そして、請求項１又は２に記載の回路基板において、前記放電用接地導体は、基部が前記突出部の接地ピン穴に挿入された金属製の接地ピンからなることが実用的である（請求項３）。又、前記放電用接地導体は、少なくとも一端が前記突出部に植設された裸線状のジャンパー線からなることも好ましい（請求項４）。
【００１７】
更に、請求項１乃至４のいずれか１項に記載の回路基板において、前記接点部はタクトスイッチからなることが実用的で好ましい（請求項５）。
【００１８】
次に、本発明の電子機器は、請求項１乃至５のいずれか１項に記載の回路基板を備えたことを特徴としている（請求項６）。
【発明の効果】
【００１９】
請求項１の回路基板は、基板前縁の操作ボタンの機構部の左、右の少なくともいずれか一方の近傍の下方部分に前方に突出した突出部が形成されるので、操作ボタンの操作によって開閉する接点部の実装位置は、突出部が形成されない場合に比して前記突出部の長さ後方にずれることになり、前面パネルから回路基板に実装された接点部までの距離がその分長くなる。更に、突出部には操作ボタンの機構部に接近して放電用接地導体が設けられる。
【００２０】
そのため、操作ボタンから放電用接地導体までの距離が、操作ボタンから接点部までの距離より短くなり、操作ボタンに発生した静電気は必ず放電用接地導体を通って放電し、静電気によって回路基板の各種実装部品等が損傷することがない。
【００２１】
そして、放電用接地導体は取り付けが簡単で安価な線状体であってスペースをとらず、小型かつ安価に回路基板に設けることができ、しかも、突出部に取り付けられるので、基板に実装された接点部の形状等によって取り付けが制約されることがない。
【００２２】
したがって、接点部の形状等によらず確実に静電気の放電路を形成することができる小型で安価な静電対策構造を備えた回路基板を提供することができる。
【００２３】
請求項２の回路基板は、前面パネルに左右方向に配列して取り付けられた各操作ボタンの機構部の間それぞれの下方部分に前方に突出した突出部が形成されるので、各操作ボタンの操作によって開閉する接点部の実装位置は、請求項１の場合と同様、突出部が形成されない場合に比して前記突出部の長さ後方にずれることになり、前面パネルから回路基板に実装された接点部までの距離がその分長くなる。更に、突出部には操作ボタンの機構部に接近して放電用接地導体が設けられる。
【００２４】
そのため、各操作ボタンで発生する静電気に対して、請求項１の回路基板と同様にして対策を講じることができ、請求項１の回路基板と同様の効果を奏することができる。
【００２５】
請求項３の回路基板は、請求項１又は２の回路基板の放電用接地導体を、突出部の接地ピン穴に金属製の接地ピンを挿入して形成するため、ピンを挿入する極めて簡単で小型、安価で実用的な構成により請求項１又は２の静電対策構造を実現することができる。
【００２６】
請求項４の回路基板は、請求項１又は２の回路基板の放電用接地導体を、少なくとも一端を突出部に植設した裸線状のジャンパー線によって形成したため、ジャンパー線を取り付ける極めて簡単で小型かつ安価な実用的な構成で請求項１又は２の静電対策構造を実現することができる。
【００２７】
請求項５の回路基板は、実装される接点部がタクトスイッチからなる一層実用的な構成で形成することができる。
【００２８】
請求項６の電子機器は、請求項１乃至５のいずれか１項に記載の回路基板を備えたことにより、請求項１乃至５の回路基板の静電対策構造を採用し、簡単かつ安価に確実な静電対策を講じることができ、信頼性等が著しく向上する。
【発明を実施するための最良の形態】
【００２９】
次に、本発明をより詳細に説明するため、その実施形態について、図１〜図９にしたがって詳述する。
【００３０】
（第１の実施形態）
放電用導電体を縦線状の接地ピンにより形成した第１の実施形態について、図１〜図６を参照して説明する。
【００３１】
図１は本発明の電子機器の１例である、テレビ受信機とビデオテープレコーダの複合機器１の斜視図、図２は複合機器１の筐体２内に取り付けられた回路基板６の一部を示す平面図、図３は回路基板６の各突出部７に取り付けられた放電用接地導体としての金属製の接地ピン８を示す部分正面図である。
【００３２】
図４は複合機器１の筐体２内の回路基板６等の取り付け状態を示した部分切断側面図、図５は操作ボタン５を押したときの筐体２内の状態を示した部分切断側面図、図６は回路基板６の面取り方法の説明図である。
【００３３】
そして、図１の複合機器１は、図１０の複合機器１００とほぼ同様に構成され、合成樹脂製の筐体２の前面パネル２ａは中央部にＣＲＴ、液晶パネル、ＰＤＰパネル等の画面表示器３がはめ込むように取り付けられ、その下部の後方に若干凹んだ部分が操作部２ｂを形成する。
【００３４】
そして、操作部２ｂは左側にビデオテープカセットの挿入、排出の開口部４が形成され、該開口部４は上端が回動自在に軸支されて挿入、排出されるビデオテープカセットによって内側、外側に押し上げられる樹脂製の扉４ａによって覆われている。
【００３５】
又、操作部２ｂの右側には、図１０の各操作ボタン５００と同様の押ボタン構造の複数個の操作ボタン５が左右に配列して取り付けられる。
【００３６】
各操作ボタン５は、ユーザー等が指で押すボタン部５ａが前面パネル２ａの表面側に位置し、ボタン部５ａに連通したロック式又はノンロック式の押ボタン機構部５ｂが図１の各取り付け穴２ｃを通して前面パネル２ａの裏面側である筐体２内に挿通される。尚、各操作ボタン５は取り付けフランジ５ｃが操作部２ｂの裏面側に係止されて前面パネル２ａに取り付けられる。
【００３７】
そして、各操作ボタン５は図５に示すように、オンオフ操作によってボタン部５ａが指αで押されて所定ストローク量だけ押ボタン機構部５ｂに押し込まれると、後端部下面から押圧用の合成樹脂製の突起５ｄが出入りする。
【００３８】
次に、筐体２内において、各操作ボタン５の押ボタン機構部５ｂの下方に、図２に示す回路基板６が、水平に、かつ、基板前縁を前面パネル２ａに極力近づけて設けられる。
【００３９】
このとき、回路基板６の基板前縁部に一定間隔で突出部７が位置して、各操作ボタン５の押ボタン機構部５ｂ間それぞれの下方部分に前方に突出した略矩形表面の突出部７が形成される。
【００４０】
又、回路基板６は各操作ボタン５の押ボタン機構部５ｂの後端部に対向する部分に、各操作ボタン５の接点部を形成するタクトスイッチ９が実装され、オン操作時は図５に示したように、各タクトスイッチ９が各操作ボタン５から飛び出した突起５ｄで押圧されてオンする。
【００４１】
次に、各操作ボタン５の押ボタン機構部５ｂ間それぞれの下方部分に位置した各突出部７に回路基板６を貫通した接地ピン穴７ａが形成され、各接地ピン穴７ａに放電用接地導体としての金属製の各接地ピン８の基部が挿入される。
【００４２】
そして、各接地ピン８は、基板表面側の高さ等が各操作ボタン５の押ボタン機構部５ｂに極力接近するように設定され、基板裏面に突出した部分が回路基板６の裏面の接地パターン（グランドパターン）１０ａに半田付けされて接地される。
【００４３】
この場合、回路基板６の各タクトスイッチ９の実装位置は、回路基板６の基板前縁部に突出部７が形成されない場合に比して、突出部７の前後方向の長さ後方にずれ、その分、前面パネル２ａから遠くなる。
【００４４】
更に、各突出部７に接地ピン８が植設されて、操作ボタン５から接地ピン８に至る距離が、操作ボタン５から各タクトスイッチ９に至る距離より十分に短くなる。
【００４５】
そのため、各操作ボタン５に発生した静電気は、図５の放電路の実線βに示すように、必ず接地ピン８を通って放電し、静電気によって回路基板６の各種電子部品等が損傷することがない。
【００４６】
そして、接地ピン８は各突出部７の接地ピン穴７ａに植設して簡単に取り付けることができ、しかも、安価な線状体であってスペースをとらない。そのため、各接地ピン８を用いた小型かつ安価な静電対策構造を回路基板６に備えることができる。
【００４７】
このとき、各接地ピン８が回路基板６の他の回路部品から離れた各突出部７に取り付けられるので、回路基板６に実装されたタクトスイッチ９の形状等によって各接地ピン８の取り付けが制約されたりすることがない。
【００４８】
ところで、各突出部７を形成した回路基板６は、例えば次に説明するようにして形成することができる。
【００４９】
すなわち、定寸法の元基板から回路基板６を面取りする際に捨て基板（余り）が生じる場合には、例えば図６（ａ）に示すように、元基板１１ａの凹凸の切り取り線１２ａに沿って各切り取り穴１３ａを形成し、各切り取り穴１３ａに沿って切り取り、突出部７を形成した状態で回路基板６を面取りして形成することができる。尚、各切り取り穴１３ａは黒色で図示している。又、図中の１４ａは捨て基板を示す。
【００５０】
次に、捨て基板が生じないような場合には、例えば図６（ｂ）に示すように、元基板１１ｂの回路基板６間の凹凸の切り取り線１２ｂに沿って各切り取り穴１３ｂを形成し、各切り取り穴１３ｂに沿って切り取ることで、突出部７を形成した２枚の回路基板６を同時に面取りして形成することができる。
【００５１】
（第２の実施形態）
放電用導電体を伏せ型のジャンパー線により形成した第２の実施形態について、図７〜図９を参照して説明する。
【００５２】
図７は図２に対応する回路基板６の一部を示す平面図、図８は回路基板６の各突出部７に一端が取り付けられた放電用接地導体としてのジャンパー線１５ａを示す部分正面図、図９は他の取り付け状態のジャンパー線１５ｂを示す部分正面図である。
【００５３】
そして、図７〜図９において、図１〜図６と同一符号は同一若しくは相当するものを示し、図７の回路基板６は各突出部７とそれらの後方近傍に、基板を貫通したピン穴７ｂ、６ａそれぞれを形成し、各１組のピン穴７ｂ、６ａに、第１の実施形態の接地ピン８の代わりの裸線状のジャンパー線１５ａの一端、他端それぞれを挿入していわゆる伏せ型に植設される。
【００５４】
このとき、各ジャンパー線１５ａは中央部が前記した各操作ボタン５の押ボタン機構部５ｂの近傍に位置するように高さ等が設定される。又、各ジャンパー線１５ａは少なくともいずれか一方の端部が接地されていればよいので、図７の場合は、各ジャンパー線１５ａの基板裏面に突出した他端が回路基板６の裏面の接地パターン（グランドパターン）１０ｂに半田付けされて接地される。尚、各ジャンパー線１５ａの基板裏面に突出した一端は例えば回路基板６の裏面の孤立したランド等に半田付けされる。
【００５５】
以上の構成により、ジャンパー線１５ａを用いた静電対策構造を回路基板６に備え、第１の実施形態の場合と同様の効果を奏することができる。
【００５６】
ところで、ジャンパー線１５ａに代えて、図９に示すように、各突出部７に両端を植設した裸線状のジャンパー線１５ｂを設けてもよく、この場合も、各ジャンパー線１５ｂの少なくともいずれか一方の端部を接地することにより、各ジャンパー線１５ａを設けた場合と同様の効果が得られる。
【００５７】
そして、本発明は上述した実施形態に限定されるものではなく、その趣旨を逸脱しない範囲において上述したもの以外に種々の変更を行うことが可能であり、例えば第１の実施形態において、操作ボタン５の個数等は電子機器によって異なり、操作ボタン５を１個だけ設けるようなときには、回路基板６の基板前縁の押ボタン機構部５ｂの左、右の少なくともいずれか一方の近傍の下方部分に形成した突出部７に、接地ピン８を設ければよい。尚、第２の実施形態の場合も同様である。
【００５８】
次に、放電用導電体は線状の構成であればどのようなものであってもよい。又、接地ピン８やジャンパー線１５ａ、１５ｂを接地する基板裏面の接地パターンの形状や形成位置等はどのようであってもよい。
【００５９】
次に、各突出部７は前方に突出した種々の形状であってよく、例えば半円形状等であってもよい。
【００６０】
次に、操作ボタン５の形状や機構構造及び用途（機能）はどのようであってもよく、又、その接点部はタクトスチッチに限るものではない。
【００６１】
そして、本発明は、種々のオーディオ・ビデオ用の電子機器の静電対策に適用することができる。
【図面の簡単な説明】
【００６２】
【図１】本発明の第１の実施形態における電子機器の１例としての複合機器の斜視図である。
【図２】同上、複合機器の筐体内に取り付けられた回路基板の一部を示す平面図である。
【図３】同上、回路基板の放電用接地導体としての金属製の接地ピンを示す部分正面図である。
【図４】同上、複合機器の筐体内の回路基板等の取り付け状態を示した部分切断側面図である。
【図５】同上、操作ボタンを押したときの筐体内の状態を示した部分切断側面図である。
【図６】同上、回路基板の面取り方法の説明図である。
【図７】本発明の第２の実施形態における複合機器の筐体内に取り付けられた回路基板の一部を示す平面図である。
【図８】同上、回路基板の各突出部に一端が取り付けられた放電用接地導体としてのジャンパー線を示す部分正面図である。
【図９】同上、他の取り付け状態のジャンパー線を示す部分正面図である。
【図１０】従来技術における電子機器の１例としての複合機器の斜視図である。
【符号の説明】
【００６３】
１    複合機器
２    筐体
２ａ    前面パネル
５    操作ボタン
５ｂ    押ボタン機構部
６    回路基板
７    突出部
８    接地ピン
９    タクトスイッチ
１５ａ、１５ｂ    ジャンパー線
【図１】
2008084574.tif 000003
【図２】
2008084574.tif 000004
【図３】
2008084574.tif 000005
【図４】
2008084574.tif 000006
【図５】
2008084574.tif 000007
【図６】
2008084574.tif 000008
【図７】
2008084574.tif 000009
【図８】
2008084574.tif 000010
【図９】
2008084574.tif 000011
【図１０】
2008084574.tif 000012